(57)【要約】【課題】  振動の影響を抑制できるディスク装置を提供する。【解決手段】  ディスクＤを回転させるディスク駆動部１２と、ディスクから情報を再生または前記ディスクに情報を記録する光ピックアップ部１５と、この光ピックアップ部をディスクの半径方向に移動する移動機構とを含むディスク装置であって、前記移動機構は、前記半径方向に延在して前記光ピックアップ部を案内するガイド部材１３Ａ，１３Ｂと、モータ２１によって駆動される送りネジ２２と、光ピックアップ部に固定されると共に送りネジと噛合するラック部材１７とを含み、前記送りネジに対する前記ラック部材の当接力を、前記光ピックアップ部が移動した位置で変化させている。当接力を適宜に調整することで、光ピックアップ部に伝播する振動を減衰でき、また振動の均質化を図ることができる。【選択図】    図１
2006012287.tif 000002
【特許請求の範囲】
【請求項１】
ディスクを回転させるディスク駆動部と、前記ディスクから情報を再生または前記ディスクに情報を記録する光ピックアップ部と、該光ピックアップ部を前記ディスクの半径方向に移動する移動機構とを含むディスク装置であって、
前記移動機構は、前記半径方向に延在して前記光ピックアップ部を案内するガイド部材と、モータによって駆動される送りネジと、前記光ピックアップ部に固定されると共に前記送りネジと噛合するラック部材とを含み、
前記送りネジに対する前記ラック部材の当接力を、前記光ピックアップ部が移動した位置で変化させることを特徴とするディスク装置。
【請求項２】
前記送りネジを前記ガイド部材に対して傾斜して配置することにより、前記当接力を変化させることを特徴とする請求項１に記載のディスク装置。
【請求項３】
前記モータと前記送りネジとを一体化して駆動ユニットを形成し、該駆動ユニットを前記ガイド部材に対して傾斜させることにより、前記当接力を変化させることを特徴とする請求項１に記載のディスク装置。
【請求項４】
前記送りネジの太さを軸方向で変化させることにより、該送りネジを前記ガイド部材に対して傾斜させ、前記当接力を変化させることを特徴とする請求項１に記載のディスク装置。
【請求項５】
前記ラック部材の前記送りネジとの噛合部は、前記送りネジと噛合を維持するように傾斜されていることを特徴とする請求項１から４のいずれかに記載のディスク装置。
【請求項６】
前記ラック部材を前記送りネジ側に向けて付勢する付勢部材と、前記ラック部材の向きを前記送りネジに沿うように変化させる首振り構造を更に備えていることを特徴とする請求項１から４のいずれかに記載のディスク装置。
【請求項７】
前記ラック部材は弾性部材により形成されていることを特徴とする請求項１から６のいずれかに記載のディスク装置。
【発明の詳細な説明】
【技術分野】
【０００１】
本発明は、円板状の記録媒体（以下、単にディスクと称する）を回転させながらここに書き込まれている情報を再生し、或いは任意の情報を記録するディスク装置に関する。より詳細には、ディスクが回転した時に発生する振動の影響を抑制する新規な構造を備えたディスク装置に関する。
【背景技術】
【０００２】
一般にディスク装置内には、ディスクを回転させるターンテーブルを含むディスク駆動部、光を介してディスクとの間で情報の再生や記録を行う光ピックアップ部、更には光ピックアップ部をディスクの半径方向に移動させる移動機構等が含まれている。これらの部品はメカシャーシ（フレーム）に固定されることによりメカユニット化されて筐体内の所定位置にセットされている。
【０００３】
上記のようなディスク装置ではディスクを回転させると振動が発生する。そこで、メカシャーシをダンパ（緩衝部材）を介して筐体に固定して、メカユニットの振動を抑制するようにしている。特にメカユニットでは、光ピックアップ部に伝播する振動を抑制することが重要である。光ピックアップ部が許容範囲を越えて振動してしまうと、ディスクとの間で情報の再生や書込みを行えなくなるためである。そこで、光ピックアップ部に伝播する振動を抑制する技術が従来から多数提案されている。
【０００４】
例えば、特許文献１ではモータによって回転される送りネジと噛合するラック部材の与圧方向を、光ピックアップをガイドする主軸及び副軸（ガイド部材）を含む面に対して平行ではない向きに設定している。この構造では、副軸と光ピックアップとの間にラック部材の反力のモーメントが生じるようになる。よって、このディスク装置では高速回転するディスクの振動が光ピックアップに伝わっても副軸とのびびり振動を起こり難くすることができる。
【０００５】
【特許文献１】特開２００１−２１００２８号公報
【発明の開示】
【発明が解決しようとする課題】
【０００６】
特許文献１のディスク装置は、主軸と副軸とを含む面内で生じるびびり振動を抑制する。しかしながら、ディスク装置のメカユニット内でディスクが回転したときに光ピックアップ部が受ける振動は移動位置によって差がある。すなわち、メカユニット内で光ピックアップ部が移動した位置で、光ピックアップ部が受ける振動の形態が異なる場合がある。ところが、従来においてはメカユニット内で光ピックアップ部が受ける振動を詳細に確認し、これを効率良く抑制する技術については十分な検討はなされていない。
【０００７】
例えば、近年においてはディスク装置内部のディスク駆動部、光ピックアップ部などの配置は小型化の観点から決定されるため、メカユニット内で重量のある部品が不規則に配置される。このように重量的にアンバランスとなる配置が複雑な振動を発生させる１つの原因と考えられる。その対策として、メカユニットを支持するダンパの性能（例えば、硬度）を変えてバランスをとること等が考えられる。しかし、各支持点に対して異なるダンパを配置しようとすると、部品点数が増加するだけでなく、組付け時の作業が煩雑となって製造コストがアップしてしまう。
【０００８】
また、特許文献１でも示すように、一般に光ピックアップ部は送りネジによってディスクの半径方向へと移動される。より詳細には、光ピックアップ部にラック部材が固定されており、このラック部材がモータによって駆動される送りネジと係合することで、光ピックアップ部がディスクの半径方向へ移動される。このラック部材が振動伝達経路の１つとして機能して光ピックアップ部に振動を伝播している。よって、ディスク装置の振動対策ではラック部材について配慮することが必要であるが、従来にあっては十分な検討がなされていないという実情がある。
【０００９】
そこで、本発明は前述した従来の課題を解決して、振動の影響を抑制できるディスク装置を提供することを目的とする。
【課題を解決するための手段】
【００１０】
本願発明者は、光ピックアップ部への振動がラック部材を介して伝達されている点に着目して本発明に至ったものである。従来の問題として指摘したように、メカユニット内でも位置によって振動に差が発生している。また、従来にあってはシャフトと送りネジとが平行に配置され、ラック部材が送りネジに一定の当接力で噛合するという形態であるためにメカユニット内で発生する種々の振動がそのまま光ピックアップ部に伝播する構造となっていた。本願発明者は送りネジに対するラック部材の当接力を変化させると、光ピックアップ部に伝播する振動を減衰できる共に均質化できることを見出して本発明に至ったものである。
【００１１】
よって、上記目的は、ディスクを回転させるディスク駆動部と、前記ディスクから情報を再生または前記ディスクに情報を記録する光ピックアップ部と、該光ピックアップ部を前記ディスクの半径方向に移動する移動機構とを含むディスク装置であって、前記移動機構は、前記半径方向に延在して前記光ピックアップ部を案内するガイド部材と、モータによって駆動される送りネジと、前記光ピックアップ部に固定されると共に前記送りネジと噛合するラック部材とを含み、前記送りネジに対する前記ラック部材の当接力を、前記光ピックアップ部が移動した位置で変化させるディスク装置により達成できる。
【００１２】
本発明によると、前記光ピックアップ部が移動した位置により送りネジに対するラック部材の当接力が異なるので、メカユニット内で発生している振動をそのまま光ピックアップ部へ伝達させない構造とすることができる。この当接力を適宜に調整することで、光ピックアップ部に伝播する振動を減衰できると共に振動の均質化を図ることもできる。よって、本発明によると振動の影響を抑制したディスク装置を提供できる。
【００１３】
また、前記送りネジを前記ガイド部材に対して傾斜して配置することにより、前記当接力を変化させる構造を実現してもよい。また、前記モータと前記送りネジとを一体化して駆動ユニットを形成し、該駆動ユニットを前記ガイド部材に対して傾斜させることにより、前記当接力を変化させる構造としてもよい。さらには、前記送りネジの太さを軸方向で変化させることにより、該送りネジを前記ガイド部材に対して傾斜させ、前記当接力を変化させる構造とすることもできる。
【００１４】
また、前記ラック部材の前記送りネジとの噛合部は、前記送りネジと噛合を維持するように傾斜されていることにより、前記ラック部材の噛合部の各部分が等しく噛合力を受けることができ、結果としてラックの寿命を延ばし、前記光ピックアップの移動応答が良くなるようにしてもよい。前記ラック部材を前記送りネジ側に向けて付勢する付勢部材と、前記ラック部材の向きを前記送りネジに沿うように変化させる首振り構造を更に備えていることにより、前記付勢部材が前記送りネジと前記光ピックアップ部との間隔の変化に対応して首振り変形することにより、前記ラック部材と前記送りネジとの噛合力が強くなり前記光ピックアップの移動がスムーズになるようにしてもよい。また、前記ラック部材は弾性部材により形成されており、該ラック部材が前記送りネジと前記光ピックアップ部との間隔の変化に対応して弾性変形することにより、前記ラック部材と前記送りネジとの噛合力が強くなるようにしてもよい。
【発明の効果】
【００１５】
本発明によると、光ピックアップ部に伝播する振動を減衰させると共に均質化を図ることもできる。よって、ディスクを回転したときに発生する振動の影響を抑制できるディスク装置を提供できる。
【発明を実施するための最良の形態】
【００１６】
図面を参照して本発明の一実施形態に係るディスク装置を説明する。
【実施例１】
【００１７】
図１は、実施例１に係るディスク装置１について示した図である。先ず図１を参照してディスク装置１が備える基本的な構成を説明する。筐体２内の所定位置にメカユニット３Ａが配置されている。メカユニット３Ａは、ディスク駆動部としてのターンテーブル１２、光ピックアップ部１５及びこの光ピックアップ部１５を移動するための移動機構、及びこれらを支持するメカシャーシ１１を含んで構成されている。メカユニット３Ａの周部には、ディスク装置１を構成する他の部品が多数配置されているがここでの図示は省略している。
【００１８】
メカユニット３Ａはメカシャーシ１１を介して、筐体２に固定されている。メカシャーシ１１には筐体２に固定するための凹部１１ａ〜１１ｄが形成されている。この凹部１１ａ〜１１ｄに防振用のダンパ５を嵌合してネジ６により筐体２側に固定されている。このように固定することでメカユニット３Ａの振動抑制及び周辺部への振動の伝播を防止している。なお、図１では下側の凹部１１ｂ、１１ｄについてダンパ５をセットした状態を図示している。
【００１９】
ターンテーブル１２は、ディスクＤを保持して所定方向に回転させる。また、光ピックアップ部１５は、ディスクＤから情報を再生し、或いはディスクＤに情報を記録する。より詳細には光ピックアップ部１５はディスクＤの裏面にレンズ１６から光を出射してディスクＤから情報を読取り、また、ディスクＤに対して情報の書込みを行う。
【００２０】
光ピックアップ部１５は、移動機構によりディスクＤの半径方向Ｒへ移動される。この移動機構には駆動源となるモータ２１、このモータ２１によって回転駆動される送りネジ２２と共に、光ピックアップ部１５側に配置した一対のシャフト１３Ａ，１３Ｂ及びラック部材１７が含まれている。なお、本実施例１では送りネジ２２はモータ２１のロータ軸に固定されており、モータ２１と送りネジ２２とは駆動ユニット２０として一体化されている。
【００２１】
シャフト１３Ａ，１３Ｂは半径方向Ｒに延在する一対の棒状の部材である。シャフト１３Ａ，１３Ｂは、光ピックアップ部１５を支持すると共に半径方向Ｒへ案内するガイド部材となる。ラック部材１７は光ピックアップ部１５の側部に固定され、その反対側では送りネジ２２と噛合している。よって、モータ２１が駆動されると、送りネジ２２が回転してラック部材１７を介して、光ピックアップ部１５を半径方位Ｒの所定位置に移動できる構造となる。
【００２２】
さらに本ディスク装置１が備える特徴的な構成について説明する。説明の便宜、図示のように互いに垂直に交差する３軸Ｘ、Ｙ、Ｚを仮想的に設定して説明に用いる。Ｙ軸はシャフト１３Ａ、１３Ｂが延在する方向と平行である。また、Ｘ軸はＹ軸と垂直なメカシャーシ１１の幅方向と平行であり、Ｚ軸はＸＹ平面に対して垂直なメカシャーシ１１の厚さ方向と平行である。
【００２３】
本ディスク装置１の送りネジ２２は、Ｙ軸と平行な線ＭＡから時計回りの向きにＲθ傾斜している。本実施例１では上記のようにモータ２１と送りネジ２２とが駆動ユニット２０として一体化されているので、駆動ユニット２０がＲθ傾斜した状態でメカシャーシ１１に固定されている。駆動ユニット２０をＲθだけ傾斜させて組付けを行うだけであるので、駆動ユニット２０が傾斜していない従来のディスク装置と同様の組付作業を行えばよい。
【００２４】
また、光ピックアップ部１５の側部に固定されており、送りネジ２２と噛合するラック部材１７はプラスチック材等の弾性部材により形成されている。ラック部材１７は、送りネジ２２と接触する当接面１７ａに送りネジ２２と噛合する歯列（噛合部）が形成されている。この噛合部は、送りネジ２２と確実に噛合するようにＲθほど傾斜して形成されている。ラック部材１７の噛合部をこのように傾斜して形成することで、前記送りネジ２２と噛合を維持して各部分が等しく噛合力を受けるようにできる。また、ラック部１７の寿命が延び、前記光ピックアップ１５の移動応答も良くできる。よって、送りネジ２２の回転に伴ってラック部材１７を介して光ピックアップ部１５を半径方向Ｒへ確実に移動させることができる。また、ラック部材１７は弾性部材により形成されているので、送りネジ２２の傾斜に対応して送りネジ２２との噛合関係を維持できる。なお、送りネジ２２の傾斜Ｒθは例えば０．５度〜５度、より好ましいくは０．５度〜２度である。ラック部材１７を形成する素材は傾斜Ｒθに対応して変形する弾性部材を選定して使用することが望ましい。
【００２５】
ディスク装置１では、上記のように送りネジ２２はシャフト１３Ａ，１３Ｂに対して傾斜している。図１で示している例では、光ピックアップ部１５がターンテーブル１２に近付く程、送りネジ２２とシャフト１３Ａとの間隔が狭くなる。よって、光ピックアップ部１５がターンテーブル１２に近付く程にラック部材１７が送りネジ２２に強く当接する。すなわち、ラック部材１7が送りネジ２２と光ピックアップ部１５との間隔の変化に対応して弾性変形することにより、送りネジ２２との噛合力がより強くなるように当接力を変化させる。これとは逆に、光ピックアップ部１５がターンテーブル１２から遠くなる程にラック部材１７は送りネジ２２に弱く当接することになる。
【００２６】
本ディスク装置１では、上記のように光ピックアップ部１５の移動位置により、送りネジ２２に対するラック部材１７の当接力（与力）が変化する。このように当接力が変化すると、従来のようにラック部材がその位置で発生している振動をそのまま光ピックアップ部１５に伝達していたのとは異なる状況を形成できる。例えば、強い振動が発生している位置で送りネジ２２に対するラック部材１７の当接力を弱めると光ピックアップ部１５へ伝播する振動を減衰できる。また、微逆な振動が発生している位置では送りネジ２２に対するラック部材１７の当接力を強めても光ピックアップ部１５へ伝播する振動はほとんど変化しない。よって、送りネジ２２を傾斜させる向きを適宜に調整することで光ピックアップ部１５へ伝播する振動を減衰させて許容範囲を越えるような大きな振動が伝播しないようにできる。また、光ピックアップ部１５へ伝播する振動が所定範囲に入るように均質化することもできる。
【００２７】
図１は、ＸＹ面内において送りネジ２２を時計回りにＲθ傾斜させたメカユニット３Ａを例示している。図２は、図１とは逆向きに反時計回りの向きにＬθ傾斜させたメカユニット３Ｂを例示しているこのようにメカユニット内で発生している振動の形態に応じて、光ピックアップ部１５に伝播する振動を減衰できるように傾斜させる向きを変更すればよい。なお、ＸＹ平面内ではターンテーブル１２に近付く程、Ｘ方向への振動が大きくなる場合がある。この場合には図２で示すように前記送りネジ２２とシャフト１３Ａとの間隔が前記ターンテーブル１２に近くなる程広くなるように設定すると光ピックアップ部１５に伝播する振動を減衰すると共に振動の均質化を図ることができる。
【００２８】
ディスク装置１の送りネジ２２を傾斜させる方向は、ＸＹ面内に限るものではない。図３は送りネジ２２をＺ方向に傾斜させる場合を示している。図３（Ａ）はＹ軸と平行な線ＭＡから下向きにＤθ傾斜させた場合であり、（Ｂ）はＹ軸と平行な線ＭＡから上向きにＵθ傾斜させた場合である。このように送りネジ２２をＺ方向へ傾斜させることでも光ピックアップ部１５に伝播する振動を減衰すると共に均質化できる場合がある。なお、Ｚ方向に傾斜させる範囲で送りネジ２２との噛合関係が維持されるようにラック部材１７を形成する。図３ではターンテーブル１２に下部に配置され、ターンテーブル１２を駆動するモータ１２Ｍが図示されている。
【００２９】
図３で示す場合のように送りネジ２２をＺ方向へ傾斜させる場合には、メカシャーシ１１の位置ＰＡにパンチ穴を形成してＰ１或いはＰ２の方向に力を加えてメカシャーシ１１の面を僅かに湾曲させてモータ２１と送りネジ２２を含む駆動ユニット２０を傾斜させればよい。その際、シャフト１３Ａ，１３Ｂを傾斜させないようにする。なお、Ｚ方向ではターンテーブル１２から遠くなる程、振動が大きくなる場合がある。この場合には図３で示すように前記送りネジ２２とシャフト１３Ａとの間隔が前記ターンテーブル１２から遠くなる程、広くなるように設定すると光ピックアップ部１５に伝播する振動を減衰すると共に振動の均質化を図ることができる。
【００３０】
図１及び図２はＸＹ面内で送りネジ２２をＸ方向へ傾斜させた場合の例を示し、また、図３は送りネジ２２をＺ軸方向へ傾斜させた場合の例を示している。しかし、ここで図示するのは一例である。Ｘ方向への傾斜及びＺ方向への傾斜を適宜に組合せて、光ピックアップ部１５に伝播する振動を減衰できるように設定する。すなわち、ディスク装置１では送りネジ２２とシャフト１３Ａ、１３Ｂとを非平行に配置することで、送りネジ２２に対するラック部材１７の当接力を変化させる。このような構造を採用することで、光ピックアップ部１５に伝播する振動を減衰すると共に振動の均質化を図ることができる。
【００３１】
図４は、ラック部材の変形例について示した図である。図１に示したラック部材１７は弾性部材で形成されており、前記送りネジ２２とシャフト１３Ａとの間隔の変化に応じて変形する。これにより送りネジ２２と噛合力がより強くなるように当接力が変化する。この図４に示すラック部材２７は光ピックアップ部１５の側部にバネ２８を介して接続されている。また、ラック部材２７の基部２７Ａはシャフト１３Ａと略平行に配置され、送りネジ２２と当接するヘッド部２７Ｂはピン２９で基部２７Ａに対して首振り自在に固定されている。
【００３２】
図４に示すラック部材２７では、送りネジ２２とシャフト１３Ａとの間隔の変化に応じて付勢部材としてのバネ２８が伸縮する。間隔が狭くなる位置ではバネ２８が縮んでヘッド部２７Ｂの送りネジ２２への当接力が増加する。これとは逆に間隔が広くなる位置ではバネ２８が伸びてヘッド部２７Ｂの送りネジ２２への当接力が減少する。また、ヘッド部２７Ｂが首を振るので送りネジ２２の傾斜に確実に対応できる。このような構造とした場合にも光ピックアップ部１５が移動した位置に応じて送りネジ２２に対するラック部材２７の当接力が変化する。よって、光ピックアップ部１５に伝播する振動を減衰させ、振動の均質化することができる。
【実施例２】
【００３３】
図５は、実施例２のディスク装置について示した図である。図５はディスク装置で採用するメカユニット３Ｃを示している。実施例１のメカユニット３Ａと同一部位には同じ符号を付して、重複する説明を省略する。この実施例２の特徴的な構成はモータ２１によって駆動される送りネジ２５の太さが変化している点である。このように送りネジの太さを軸方向に変化させた場合にも、送りネジを傾斜させた場合と実質的に同じ効果を得ることができる。図５では送りネジ２５は根元から先端に向かうに従って太くなっている。よって、図１で示した時計回り方向に傾斜させた場合と同様の効果を得ることができる。なお、図５の場合とは逆に、送りネジ２５を根元から先端に向かうに従って細くする場合には図２で示した反時計回りに傾斜させた場合と同様の効果を得ることができる。
【００３４】
図５で示したラック部材は、図１及び図２に示したラック部材１７を使用する場合を図示しているが、図４で示したラック部材２７を用いてもよい。また、必要により送りネジ２５を更にＺ方向へ傾斜させてもよい。
【００３５】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００３６】
【図１】実施例１に係るディスク装置について示した図である。
【図２】実施例１のディスク装置について、図１とは逆向きに反時計回りの向きに傾斜させたメカユニットを例示した図である。
【図３】実施例１のディスク装置について、送りネジをＺ方向に傾斜させる場合について例示した図である。
【図４】実施例１のディスク装置について、ラック部材の変形例を示した図である。
【図５】実施例２のディスク装置について示した図である。
【符号の説明】
【００３７】
１                  ディスク装置
２                  筐体
５                  ダンパ
３Ａ、３Ｂ、３Ｃ    メカユニット
１１                メカシャーシ
１２                ターンテーブル
１３Ａ、１３Ｂ      シャフト
１５                光ピックアップ部
１７                ラック部材
２０                駆動ユニット
２１                モータ
２２                送りネジ
Ｄ                  ディスク
Ｒ                  半径方向
【図１】
2006012287.tif 000003
【図２】
2006012287.tif 000004
【図３】
2006012287.tif 000005
【図４】
2006012287.tif 000006
【図５】
2006012287.tif 000007